(57)【要約】【課題】運搬時や平常時にはコンパクトであって保管や運搬がしやすく、大きな電力が必要な非常時には発電電力量を増大させることができるソーラー発電システム搭載防災倉庫を提供する。【解決手段】上側ソーラーパネル部２０と下側ソーラーパネル部２１は、それぞれソーラーパネル架台にソーラーパネルが取り付けられており、平行に配置されている。上側ソーラーパネル部２０と下側ソーラーパネル部２１は、倉庫本体１０の屋根にスライドできるように設置されている。倉庫本体１０の内部には、上側ソーラーパネル部２０と下側ソーラーパネル部２１に含まれるソーラーパネルによって発電される電力を蓄えるバッテリーとバッテリーの電力を電気機器に供給するためのコンセントとが据え付けられている。スライド駆動部３０は上側ソーラーパネル部２０と下側ソーラーパネル部２１を反対方向にスライドさせる。【選択図】図２
0003196193.tif 000002
【実用新案登録請求の範囲】
【請求項１】
ソーラーパネルを含む第１のソーラーパネル部と、
ソーラーパネルを含み、前記第１のソーラーパネル部と並行に配置された第２のソーラーパネル部と、
前記第１のソーラーパネル部と前記第２のソーラーパネル部とがスライドできるように屋根に設置されており、前記第１のソーラーパネル部と前記第２のソーラーパネル部に含まれるソーラーパネルによって発電される電力を蓄えるバッテリーと当該バッテリーの電力を電気機器に供給するためのコンセントとを内部に有する倉庫本体と、
前記第１のソーラーパネル部と前記第２のソーラーパネル部とを反対方向にスライドさせるスライド駆動部と、
を備えることを特徴とするソーラー発電システム搭載防災倉庫。
【請求項２】
前記倉庫本体が、フォークリフトのフォークを差し込むための穴を有するフォークリフト用架台を下部に備えることを特徴とする請求項１に記載のソーラー発電システム搭載防災倉庫。
【考案の詳細な説明】
【技術分野】
【０００１】
本考案は、屋根にソーラー（太陽電池）パネルを搭載したソーラー発電システム搭載防災倉庫に関する。
【背景技術】
【０００２】
例えば、特許文献１には、燻薪、木炭、ストーブ、釜、鍋、やかん、米、飲料水等の防災用品を収納することができる防災倉庫が記載されている。特許文献１に記載の防災倉庫は、学校や市役所等に長期間設置することもできるし、例えばコンテナヤードに保管し、災害発生時に被災地に運搬することもできる。
【先行技術文献】
【特許文献】
【０００３】
【特許文献１】特開２００７−１２０１６０号公報
【考案の概要】
【考案が解決しようとする課題】
【０００４】
地震等の被災地では、電力送電網が破壊され、長期間停電する地域が発生する場合がある。このような地域では、テレビ、ラジオ、無線機、携帯電話等の電気機器を使用できなくなるため、情報を入手したり、他の地域と連絡をとることが困難になる。
そこで、防災倉庫の屋根にソーラーパネルを設置することが考えられるが、保管や運搬のためには、コンパクトな形状であることが望ましい。一方、大きな電力を得るためにはソーラーパネルはできるだけ広い方がよい。
【０００５】
本考案の目的は、運搬時や平常時にはコンパクトであって保管や運搬がしやすく、大きな電力が必要な非常時には発電電力量を増大させることができるソーラー発電システム搭載防災倉庫を提供することである。
【課題を解決するための手段】
【０００６】
上記課題を解決するために、本考案のソーラー発電システム搭載防災倉庫は、
ソーラーパネルを含む第１のソーラーパネル部と、
ソーラーパネルを含み、前記第１のソーラーパネル部と並行に配置された第２のソーラーパネル部と、
前記第１のソーラーパネル部と前記第２のソーラーパネル部とがスライドできるように屋根に設置されており、前記第１のソーラーパネル部と前記第２のソーラーパネル部に含まれるソーラーパネルによって発電される電力を蓄えるバッテリーと当該バッテリーの電力を電気機器に供給するためのコンセントとを内部に有する倉庫本体と、
前記第１のソーラーパネル部と前記第２のソーラーパネル部とを反対方向にスライドさせるスライド駆動部と、
を備えることを特徴とする。
【０００７】
好ましくは、本考案のソーラー発電システム搭載防災倉庫は、
前記倉庫本体が、フォークリフトのフォークを差し込むための穴を有するフォークリフト用架台を下部に備えることを特徴とする。
【考案の効果】
【０００８】
本考案によれば、運搬時や平常時にはコンパクトであって保管や運搬がしやすく、大きな電力が必要な非常時には発電電力量を増大させることができる。
【図面の簡単な説明】
【０００９】
【図１】本考案の実施形態に係るソーラー発電システム搭載防災倉庫の一例においてソーラーパネル部を重ねた状態を示す斜視図である。
【図２】図１のソーラー発電システム搭載防災倉庫の一例においてソーラーパネル部をスライドさせて広げた状態を示す斜視図である。
【図３】ソーラーパネル部が重なった状態においてスライド駆動部の構成の一例を示す図である。
【図４】ソーラーパネル部がスライドした状態においてスライド駆動部の構成の一例を示す図である。
【図５】図１のソーラー発電システム搭載防災倉庫の一例においてシャッターを開けた状態を示す正面図である。
【考案を実施するための形態】
【００１０】
以下、図面を参照しつつ、本考案の実施形態に係るソーラー発電システム搭載防災倉庫について詳細に説明する。なお、実施形態を説明する全図において、共通の構成要素には同一の符号を付し、繰り返しの説明を省略する。
【００１１】
図１は、本考案の実施形態に係るソーラー発電システム搭載防災倉庫１の一例においてソーラーパネル部を重ねた状態を示す斜視図である。図２は、図１のソーラー発電システム搭載防災倉庫１の一例においてソーラーパネル部をスライドさせて広げた状態を示す斜視図である。
ソーラー発電システム搭載防災倉庫１は、倉庫本体１０と、上側ソーラーパネル部２０と、下側ソーラーパネル部２１と、スライド駆動部３０とを有する。
【００１２】
ソーラー発電システム搭載防災倉庫１は、倉庫本体１０の屋根に上側ソーラーパネル部２０と下側ソーラーパネル部２１とが設置されている。上側ソーラーパネル部２０と下側ソーラーパネル部２１は並行に配置されている。上側ソーラーパネル部２０と下側ソーラーパネル部２１は、ソーラーパネル架台にそれぞれ３枚のソーラーパネル２２が取り付けられたものである。
上側ソーラーパネル部２０と下側ソーラーパネル部２１は、図示しない手段によって倉庫本体１０の屋根上にスライドできるように支持されている。運搬時や、電力の消費が少ない平常時には、図１に示すように、上側ソーラーパネル部２０と下側ソーラーパネル部２１は重ねられている。一方、電力の消費が大きい非常時には、図２に示すように、上側ソーラーパネル部２０と下側ソーラーパネル部２１をスライドさせて広げる。これにより、上側ソーラーパネル部２０だけでなく、下側ソーラーパネル部２１でも発電可能となり、発電電力量を増大させることができる。
【００１３】
倉庫本体１０は、その前面と後面の上部にそれぞれ前面カバー部１４と後面カバー部１５とが固定されている。前面カバー部１４は、水平部分と垂直部分とで構成される。前面カバー部１４の垂直部分は水平部分の端から下方に延びる。後面カバー部１５は水平部分のみを有する。
前面カバー部１４と後面カバー部１５の水平部分は、平板状である。前面カバー部１４の垂直部分は、例えば四角柱状である。
【００１４】
前面カバー部１４は、スライド駆動部３０を覆い、保護する。図３と図４に示すように、スライド駆動部３０は、ハンドル３１と、スプロケット３２と、スプロケット３３と、スプロケット３４と、チェーン３５と、チェーン３６とを有する。
前面カバー部１４の垂直部分は、四角柱の内部にスプロケット３２とチェーン３５を収納する。前面カバー部１４の水平部分は、スプロケット３３とスプロケット３４とチェーン３６とが外部に露出しないように覆っている。スプロケット３３とスプロケット３４は、図示しない手段によって倉庫本体１０の屋根に取り付けられている。
【００１５】
スプロケット３２はハンドル３１と連動しており、人手でハンドル３１を回すことにより、スプロケット３２を回転させることができる。チェーン３５はスプロケット３２の回転をスプロケット３３に伝達し、スプロケット３３を回転させる。チェーン３６はスプロケット３３の回転をスプロケット３４に伝達し、スプロケット３４を回転させる。図示は省略するが、上側ソーラーパネル部２０と下側ソーラーパネル部２１は、スプロケット３３とスプロケット３４とが回転するとき、反対方向にスライドする構造を有する。
従って、ハンドル３１を人手で回すと、上側ソーラーパネル部２０と下側ソーラーパネル部２１が反対方向にスライドする。
【００１６】
倉庫本体１０は、前面にシャッター１１、前面上部に外部照明１３を有する。図５は、ソーラー発電システム搭載防災倉庫１においてシャッター１１を開けた状態を示す。倉庫本体１０の内部には、少なくともバッテリー１０１と、コンセント１０２とが据え付けられている。倉庫本体１０の内部には、その他に、必要に応じて、テレビ１０３と、換気扇１０４と、棚１０５と、内部照明１０６とが据え付けられる。
バッテリー１０１は、上側ソーラーパネル部２０と下側ソーラーパネル部２１によって発電された電力を蓄積する。
コンセント１０２は、バッテリー１０１に蓄積された電力をラジオや携帯電話等の様々な電気機器に供給する。
外部照明１３とテレビ１０３と換気扇１０４と内部照明１０６は、バッテリー１０１から電力を供給される。
【００１７】
倉庫本体１０は、その下部にフォークリフト用架台１２を備える。フォークリフト用架台１２の穴にフォークを差し込んでフォークリフトで倉庫本体１０を持ち上げることができる。また、図示は省略するが、倉庫本体１０は吊り上げ用の４点フックを備える。ソーラー発電システム搭載防災倉庫１は、２トントラックに積載可能である。
倉庫本体１０のフレームおよび外壁と前面カバー部１４と後面カバー部１５はガルバニウム鋼板（アルミニウム・亜鉛合金めっき鋼板）で製造されており、防錆、防蝕に優れる。ソーラーパネル架台は亜鉛メッキされており、錆に強い。
【００１８】
なお、上述した実施形態では、上側ソーラーパネル部２０と下側ソーラーパネル部２１が上下に配置された２層構造の例を示したが、ソーラーパネル部は３層以上の多層構造とすることもできる。
また、上側ソーラーパネル部２０と下側ソーラーパネル部２１が屋根と並行に設置される例を示したが、太陽光を効率良く受けるために傾斜させて設置することもできる。ただし、上側ソーラーパネル部２０と下側ソーラーパネル部２１を傾斜させると、上側ソーラーパネル部２０と下側ソーラーパネル部２１が太陽光を効率良く受ける向きにソーラー発電システム搭載防災倉庫１を設置する必要があり、ソーラー発電システム搭載防災倉庫１の向きに制限が生じる。
【００１９】
また、上述した実施形態では、スライド駆動部３０はハンドル３０を回すことにより手動で上側ソーラーパネル部２０と下側ソーラーパネル部２１をスライドさせるとしたが、バッテリー１０１から電力を供給される電動モータを備え、電動で上側ソーラーパネル部２０と下側ソーラーパネル部２１をスライドさせることとしてもよい。
また、シャッター１１の開閉は手動であっても電動であってもよい。
【００２０】
以上説明したように、ソーラー発電システム搭載防災倉庫１は、運搬時や平常時には上側ソーラーパネル部２０と下側ソーラーパネル部２１を重ねることによりコンパクトになり、保管や運搬が容易となる。また、ソーラー発電システム搭載防災倉庫１は、大きな電力が必要な非常時には上側ソーラーパネル部２０と下側ソーラーパネル部２１をスライドさせて広げることにより、発電電力量を増大させることができる。
【００２１】
以上、本考案の実施形態について説明したが、設計上の都合やその他の要因によって必要となる様々な修正や組み合わせは、請求項に記載されている考案や考案の実施形態に記載されている具体例に対応する考案の範囲に含まれる。
【符号の説明】
【００２２】
１…ソーラー発電システム搭載防災倉庫、１０…フレーム、１１…シャッター、１２…フォークリフト用架台、１３…外部照明、１４…前面カバー部、１５…後面カバー部、２０…上側ソーラーパネル部、２１…下側ソーラーパネル部、２２…ソーラーパネル、３０…スライド駆動部、３１…ハンドル、３２…スプロケット、３３…スプロケット、３４…スプロケット、３５…チェーン、３６…チェーン、１０１…バッテリー、１０２…１００Ｖコンセント、１０３…テレビ、１０４…換気扇、１０５…棚、１０６…内部照明
【図１】
0003196193.tif 000003
【図２】
0003196193.tif 000004
【図３】
0003196193.tif 000005
【図４】
0003196193.tif 000006
【図５】
0003196193.tif 000007